(57)【特許請求の範囲】
【請求項１】
スクロールケーシングと、
このスクロールケーシング内に設けた両吸込み型の羽根車を備え、
前記スクロールケーシングは、吐出口と、舌部と、渦巻状のスクロールと、吸込口を開口した両側面のケーシング側板からなる遠心送風機において、
前記吐出口の形状が多角形になるように、前記スクロールの反舌部側壁面の前記吐出口近傍を、前記羽根車の駆動軸に対し斜めの曲げ線を形成して前記羽根車寄りに曲げてスクロールテーパー壁面を形成し、前記スクロールの前記駆動軸方向断面積を前記ケーシング側板側に向かって徐々に縮小する構成としたことを特徴とする遠心送風機。
【請求項２】
スクロールテーパー壁面の反吐出口側テーパー端部を、反舌部側壁面から仰いだ舌部から駆動軸の間に位置する構成としたことを特徴とする請求項１記載の遠心送風機。
【請求項３】
スクロールの拡大率をケーシング側板側に向かって徐々に減少させる構成としたことを特徴とする請求項１または２記載の遠心送風機。
【請求項４】
反舌部側壁面とスクロールテーパー壁面の吐出口側端部に、円形断面の丸アダプターの湾曲を近似的に沿わせて、吐出口に前記丸アダプターを接続する構成としたことを特徴とする請求項１から３のいずれかに記載の遠心送風機。
【請求項５】
曲げ線をＲ形状に形成し、スクロールテーパー壁面または反舌部側壁面に曲面を設ける構成としたことを特徴とする請求項１から４のいずれかに記載の遠心送風機。
【請求項６】
スクロールと別部品とし、スクロールテーパー壁面を形成したテーパー部材を、吐出口側に配置する構成としたことを特徴とする請求項１から５のいずれかに記載の遠心送風機。
【請求項７】
機体吸込口と機体吹出口を対向して設けた箱状の機体の内部に遠心送風機を備え、前記機体吹出口と前記遠心送風機の吐出口を接続し、前記機体と前記遠心送風機の間に２つ以上の機体風路を形成したダクトファンに配置する構成としたことを特徴とする請求項１から６のいずれかに記載の遠心送風機。
【請求項８】
機体と遠心送風機のケーシング側板に挟まれた２つの機体風路の幅において、駆動軸を接続したモーターへの気流衝突により吸込口を通過する風量が少ない小風量側機体風路幅に対し、反モーター側のため吸込口を通過する風量が多い大風量側機体風路幅を幅広としたダクトファンに配置する構成としたことを特徴とする請求項７記載の遠心送風機。
【請求項９】
機体内面またはスクロールケーシング外面に吸音材を設ける構成としたことを特徴とする請求項７または８記載の遠心送風機。
【発明の詳細な説明】
【技術分野】
【０００１】
本発明は、ダクトファンなどの換気送風機器、空気調和機などに使用される遠心送風機の構造に関するものである。
【背景技術】
【０００２】
従来、この種の遠心送風機としては、スクロールケーシングにおいて、矩形の断面形状をもつ吐出口と矩形の断面形状をもつダクトの間に、吐出口からダクトに向かって高さ間隔を順次拡大した矩形の断面形状をもつ拡大流路を接続したものが知られている（例えば、特許文献１参照）。
【０００３】
以下、その遠心送風機について、図９および図１０を参照しながら説明する。
【０００４】
図９および図１０に示すように、矩形の吐出口１０１は舌部１０２の対面の反舌部側壁面１０３と舌部側壁面１０４の間に高さ間隔ｈとするスクロールケーシング１０５を形成し、スクロールケーシング１０５の両側面に吸込口１０６を開口したケーシング側板１０７を設け、スクロールケーシング１０５の内部に羽根車１０８を配した遠心送風機１０９と、高さ間隔ｈより大きな高さ間隔Ｈで形成した矩形のダクト１１０と、吐出口１０１とダクト１１０の間に反舌部側壁面１０３の延長線よりも舌部側壁面１０４寄りに傾斜した壁面１１１を有して高さ間隔ｈの吐出口１０１から高さ間隔Ｈのダクト１１０に向かって順次高さ間隔を拡大した矩形の拡大流路１１２を長さ間隔Ｌにて形成した構成となっている。この際、矩形の拡大流路１１２は反舌部側壁面１０３の延長線よりも舌部側壁面１０４寄りに傾斜した壁面１１１をダクト１１０に連続して接続しており、ダクト１１０での逆流域１１３が少ないため、主流域１１４が安定して送風されていた。
【特許文献１】特開平１０−２９９６９７号公報
【発明の開示】
【発明が解決しようとする課題】
【０００５】
このような従来の遠心送風機では、矩形の吐出口１０１の幅寸法ｗと矩形のダクト１１０の幅寸法Ｗが同一の場合は、主流域１１４が安定して送風されるが、幅寸法ｗに対し幅寸法Ｗが大きいあるいは小さい場合は、吐出口１０１とダクト１１０の風路段差ができるため、気流の急拡大や衝突による乱流１１５での圧力損失や乱流騒音が発生することで、遠心送風機１０９の静圧が低下し、入力が増加し、騒音が増加するという課題がある。
【０００６】
また、遠心送風機１０９は一般的にケーシング側板側気流１１６の風速が遅いことが知られており、風向が不安定になり易く乱流が起こり易く、乱流は舌部１０２近傍では羽根車１０８と吸込口１０６の隙間への羽根車端部逆流１１７を誘発し、圧力損失や乱流騒音が発生することで、遠心送風機１０９の静圧が低下し、入力が増加し、騒音が増加するという課題がある。
【０００７】
また、拡大流路１１２は長さ間隔Ｌが必要であり、拡大流路１１２を含めた遠心送風機１０９の本体寸法が大きくなるという課題がある。
【０００８】
また、小型で比較的小風量の遠心送風機では、施工性が良く省スペースな丸ダクトが一般的に使用され、円形断面の丸アダプターの接続が必要となるが、このような従来の遠心送風機では、矩形の拡大流路１１２を丸ダクトに連続的に接続できず吐出口１０１と丸ダクトの風路段差ができるため、気流の急拡大や衝突による乱流での圧力損失や乱流騒音が発生することで、遠心送風機１０９の静圧が低下し、入力が増加し、騒音が増加するという課題がある。
【０００９】
本発明は、このような従来の課題を解決するものであり、吐出口近傍での乱流を防ぎ圧力損失を抑えることができ、乱流騒音を防ぐことができることで、静圧を増加でき、入力を低減でき、騒音を低減できながら、コンパクトにできる遠心送風機を提供することを目的とする。
【課題を解決するための手段】
【００１０】
本発明の遠心送風機は、上記目的を達成するために、スクロールケーシングと、このスクロールケーシング内に設けた両吸込み型の羽根車を備え、前記スクロールケーシングは、吐出口と、舌部と、渦巻状のスクロールと、吸込口を開口した両側面のケーシング側板からなる遠心送風機において、前記吐出口の形状が多角形になるように、前記スクロールの反舌部側壁面の前記吐出口近傍を、前記羽根車の駆動軸に対し斜めの曲げ線を形成して前記羽根車寄りに曲げてスクロールテーパー壁面を形成し、前記スクロールの前記駆動軸方向断面積を前記ケーシング側板側に向かって徐々に縮小する構成としたものである。
【００１１】
また、他の手段は、スクロールテーパー壁面の反吐出口側テーパー端部を、反舌部側壁面から仰いだ舌部から駆動軸の間に位置する構成としたものである。
【００１２】
また、他の手段は、スクロールの拡大率をケーシング側板側に向かって徐々に減少させる構成としたものである。
【００１３】
また、他の手段は、反舌部側壁面とスクロールテーパー壁面の吐出口側端部に、円形断面の丸アダプターの湾曲を近似的に沿わせて、吐出口に前記丸アダプターを接続する構成としたものである。
【００１５】
また、他の手段は、曲げ線をＲ形状に形成し、スクロールテーパー壁面または反舌部側壁面に曲面を設ける構成としたものである。
【００１６】
また、他の手段は、スクロールと別部品とし、スクロールテーパー壁面を形成したテーパー部材を、吐出口側に配置する構成としたものである。
【００１７】
また、他の手段は、機体吸込口と機体吹出口を対向して設けた箱状の機体の内部に遠心送風機を備え、前記機体吹出口と前記遠心送風機の吐出口を接続し、前記機体と前記遠心送風機の間に２つ以上の機体風路を形成したダクトファンに配置する構成としたものである。
【００１８】
また、他の手段は、機体と遠心送風機のケーシング側板に挟まれた２つの機体風路の幅において、駆動軸を接続したモーターへの気流衝突により吸込口を通過する風量が少ない小風量側機体風路幅に対し、反モーター側のため吸込口を通過する風量が多い大風量側機体風路幅を幅広としたダクトファンに配置する構成としたものである。
【００１９】
また、他の手段は、機体内面またはスクロールケーシング外面に吸音材を設ける構成としたものである。
【発明の効果】
【００２０】
本発明によれば、スクロールケーシングと、このスクロールケーシング内に設けた両吸込み型の羽根車を備え、前記スクロールケーシングは、吐出口と、舌部と、渦巻状のスクロールと、吸込口を開口した両側面のケーシング側板からなる遠心送風機において、前記吐出口の形状が多角形になるように、前記スクロールの反舌部側壁面の前記吐出口近傍を、前記羽根車の駆動軸に対し斜めの曲げ線を形成して前記羽根車寄りに曲げてスクロールテーパー壁面を形成し、前記スクロールの前記駆動軸方向断面積を前記ケーシング側板側に向かって徐々に縮小する構成としたことにより、乱流での圧力損失を抑え、静圧を増加でき、入力を低減でき、騒音を低減できるという効果のある遠心送風機を提供することができる。
また、羽根車を両吸込型羽根車とする構成としたことにより、乱流での圧力損失を抑え、静圧を増加でき、入力を低減でき、騒音を低減できるという効果のある遠心送風機を提供することができる。
【００２１】
また、スクロールテーパー壁面の反吐出口側テーパー端部を、反舌部側壁面から仰いだ舌部から駆動軸の間に位置する構成としたことにより、乱流での圧力損失を抑え、静圧を増加でき、入力を低減でき、騒音を低減できながらコンパクトにできるという効果のある遠心送風機を提供することができる。
【００２２】
また、スクロールの拡大率をケーシング側板側に向かって徐々に減少させる構成としたことにより、乱流での圧力損失を抑え、静圧を増加でき、入力を低減でき、騒音を低減できるという効果のある遠心送風機を提供することができる。
【００２３】
また、反舌部側壁面とスクロールテーパー壁面の吐出口側端部に、円形断面の丸アダプターの湾曲を近似的に沿わせて、吐出口に前記丸アダプターを接続する構成としたことにより、乱流での圧力損失を抑え、静圧を増加でき、入力を低減でき、騒音を低減できるという効果のある遠心送風機を提供することができる。
【００２５】
また、曲げ線をＲ形状に形成し、スクロールテーパー壁面または反舌部側壁面に曲面を設ける構成としたことにより、乱流での圧力損失を抑え、静圧を増加でき、入力を低減でき、騒音を低減できるという効果のある遠心送風機を提供することができる。
【００２６】
また、スクロールと別部品とし、スクロールテーパー壁面を形成したテーパー部材を、吐出口側に配置する構成としたことにより、スクロールの生産性を良くできながら、静圧を増加でき、入力を低減でき、騒音を低減できるという効果のある遠心送風機を提供することができる。
【００２７】
また、機体吸込口と機体吹出口を対向して設けた箱状の機体の内部に遠心送風機を備え、前記機体吹出口と前記遠心送風機の吐出口を接続し、前記機体と前記遠心送風機の間に２つ以上の機体風路を形成したダクトファンに配置する構成としたことにより、ダクトファンの静圧を増加でき、入力を低減でき、騒音を低減できながら、コンパクトにできるという効果のある遠心送風機を提供することができる。
【００２８】
また、機体と遠心送風機のケーシング側板に挟まれた２つの機体風路の幅において、駆動軸を接続したモーターへの気流衝突により吸込口を通過する風量が少ない小風量側機体風路幅に対し、反モーター側のため吸込口を通過する風量が多い大風量側機体風路幅を幅広としたダクトファンに配置する構成としたことにより、ダクトファンの静圧を増加でき、入力を低減でき、騒音を低減できながら、コンパクトにできるという効果のある遠心送風機を提供することができる。
【００２９】
また、機体内面またはスクロールケーシング外面に吸音材を設ける構成としたことにより、ダクトファンの騒音を低減できるという効果のある遠心送風機を提供することができる。
【発明を実施するための最良の形態】
【００３０】
本発明の請求項１記載の遠心送風機は、スクロールケーシングと、このスクロールケーシング内に設けた両吸込み型の羽根車を備え、前記スクロールケーシングは、吐出口と、舌部と、渦巻状のスクロールと、吸込口を開口した両側面のケーシング側板からなる遠心送風機において、前記吐出口の形状が多角形になるように、前記スクロールの反舌部側壁面の前記吐出口近傍を、前記羽根車の駆動軸に対し斜めの曲げ線を形成して前記羽根車寄りに曲げてスクロールテーパー壁面を形成し、前記スクロールの前記駆動軸方向断面積を前記ケーシング側板側に向かって徐々に縮小する構成としたものであり、遠心送風機は一般的にケーシング側板側気流の風速が遅いため、風向が不安定になり易く乱流が起こり易いことに対し、スクロールの駆動軸方向断面積をケーシング側板側に向かって徐々にして縮小したことで、ケーシング側板側気流の風速を増速でき、かつスクロールテーパー壁面に沿って吐出口中央部へケーシング側板側気流の風向を安定させることができることで、吐出口近傍での乱流を防ぎ圧力損失を抑えることができ、乱流騒音を防ぐことができるという作用を有する。
また、遠心送風機の羽根車が両吸込型羽根車の場合、両側のケーシング側板側気流の風速が遅いため、片吸込型羽根車よりも風向が不安定になり易く乱流が起こり易いことに対し、吐出口近傍での乱流を防ぎ圧力損失を抑えることができ、乱流騒音を防ぐことができるという作用を有する。
【００３１】
また、スクロールテーパー壁面の反吐出口側テーパー端部を、反舌部側壁面から仰いだ舌部から駆動軸の間に位置する構成としたものであり、遠心送風機は一般的にケーシング側板側気流の風速が遅いため、風向が不安定になり易く乱流が起こり易く、乱流は舌部近傍では羽根車と吸込口の隙間への羽根車端部逆流を誘発し易いことに対し、スクロールテーパー壁面の反吐出側テーパー端部を反舌部側壁面から仰いだ舌部から駆動軸の間に位置したことで、舌部近傍でのケーシング側板側気流を増速でき、舌部近傍での羽根車端部逆流を防ぐことができることで、吐出口近傍での乱流を防ぎ圧力損失を抑えることができ、乱流騒音を防ぐことができる。また反吐出口側テーパー端部を駆動軸側に位置することでスクロールテーパー壁面をスクロールケーシング内にコンパクトに収めることができるという作用を有する。
【００３２】
また、スクロールの拡大率をケーシング側板側に向かって徐々に減少させる構成としたものであり、遠心送風機は一般的にケーシング側板側気流の風速が遅いため、風向が不安定になり易く乱流が起こり易いことに対し、スクロールの拡大率をケーシング側板側に向かって徐々に減少させたことで、羽根車の回転で発生する動圧を静圧に変換するスクロールの作用をスクロールの幅方向全域において得ることができながら、ケーシング側板側気流の風速を増速できることで、吐出口近傍での乱流を防ぎ圧力損失を抑えることができ、乱流騒音を防ぐことができるという作用を有する。
【００３３】
また、反舌部側壁面とスクロールテーパー壁面の吐出口側端部に、円形断面の丸アダプターの湾曲を近似的に沿わせて、吐出口に前記丸アダプターを接続する構成としたものであり、反舌部側壁面とスクロールテーパー壁面の吐出口側端部は、中央部からケーシング側板側に向かって開口を小さくする多角形形状の吐出口となるため、吐出口側端部は丸アダプターの湾曲に近似的に沿うことができ、吐出口から丸アダプターへの風路段差を小さくできることで、吐出口近傍での乱流を防ぎ圧力損失を抑えることができ、乱流騒音を防ぐことができるという作用を有する。
【００３５】
また、曲げ線をＲ形状に形成し、スクロールテーパー壁面または反舌部側壁面に曲面を設ける構成としたものであり、スクロールテーパー壁面と反舌部側壁面が曲面にて滑らかに連続し、スクロールテーパー壁面に沿って吐出口中央部へケーシング側板側気流の風向をスムーズに偏向し安定させることができることで、吐出口近傍での乱流を防ぎ圧力損失を抑えることができ、乱流騒音を防ぐことができるという作用を有する。
【００３６】
また、スクロールと別部品とし、スクロールテーパー壁面を形成したテーパー部材を、吐出口側に配置する構成としたものであり、スクロールの形状を簡単にでき、またスクロールテーパー壁面を形状自在に立体的に形成できるという作用を有する。
【００３７】
また、機体吸込口と機体吹出口を対向して設けた箱状の機体の内部に遠心送風機を備え、前記機体吹出口と前記遠心送風機の吐出口を接続し、前記機体と前記遠心送風機の間に２つ以上の機体風路を形成したダクトファンに配置する構成としたものであり、遠心送風機自体の吐出口近傍での乱流を防ぎ圧力損失を抑えることができ、乱流騒音を防ぐことで、ダクトファンの機体風路での圧力損失に応じて、遠心送風機を大きくすることなく効率的に能力を発生することができるという作用を有する。
【００３８】
また、機体と遠心送風機のケーシング側板に挟まれた２つの機体風路の幅において、駆動軸を接続したモーターへの気流衝突により吸込口を通過する風量が少ない小風量側機体風路幅に対し、反モーター側のため吸込口を通過する風量が多い大風量側機体風路幅を幅広としたダクトファンに配置する構成としたものであり、ダクトファンの機体風路での風量に応じて風路幅を広くし風速を抑えることで、遠心送風機の吸込口までの機体風路での圧力損失を抑え、また風速低下にて乱流騒音を防ぐことで、遠心送風機を大きくすることなく静圧を発生することができるという作用を有する。
【００３９】
また、機体内面またはスクロールケーシング外面に吸音材を設ける構成としたものであり、機体風路での騒音を吸音材にて吸音することができるという作用を有する。
【００４０】
以下、本発明の実施の形態について、図面を参照しながら説明する。
【００４１】
（実施の形態１）
本発明の第１の実施の形態による遠心送風機を図１および図２によって説明する。本実施の形態の遠心送風機１４の羽根車１は、駆動軸２に接続した円盤状の主板３と、主板３の両側の環状のモーター側ファン側板４と反モーター側ファン側板５の間に複数のブレード６を配して両吸込型に形成する。羽根車１は駆動軸２を介しモーター１８により回転駆動する。羽根車１の外部には、吐出口７と舌部８と渦巻状のスクロール９と吸込口１０をオリフィス１１形状に開口した両側面のケーシング側板１２からなるスクロールケーシング１３を形成する。スクロール９の反舌部側壁面１５の吐出口７近傍を、羽根車１の駆動軸２に対し斜めの曲げ線１６を形成して羽根車１寄りに曲げてスクロールテーパー壁面１７を形成し、スクロール９の駆動軸２方向断面積をケーシング側板１２側に向かって徐々に縮小した構成とする。
【００４２】
また、反舌部側壁面１５とスクロールテーパー壁面１７の吐出口側端部１９に、円形断面の丸アダプター２０の湾曲を近似的に沿わせて、吐出口７に丸アダプター２０を接続し、丸アダプター２０は丸ダクト２１に連通した構成とする。
【００４３】
遠心送風機１４を運転した際、ケーシング側板側気流２２とケーシング中央側気流２３に大別される気流が発生し、吐出気流２４として流出する。
【００４４】
上記構成により、遠心送風機１４は一般的にケーシング側板側気流２２の風速が遅いため、風向が不安定になり易く乱流が起こり易いことに対し、スクロール９の駆動軸２方向断面積をケーシング側板１２側に向かって徐々に縮小したことで、ケーシング側板側気流２２の風速を増速でき、かつスクロールテーパー壁面１７に沿って吐出口７中央部へケーシング側板側気流２２の風向を安定させることができることで、吐出口７近傍での乱流を防ぎ圧力損失を抑えることができ、乱流騒音を防ぐことができる。
【００４５】
また、反舌部側壁面１５とスクロールテーパー壁面１７の吐出口側端部１９は、中央部からケーシング側板１２側に向かって開口を小さくする多角形形状の吐出口７となるため、吐出口側端部１９は丸アダプター２０の湾曲に近似的に沿うことができ、吐出口７から丸アダプター２０への風路段差を小さくできることで、吐出口７近傍での乱流を防ぎ圧力損失を抑えることができ、乱流騒音を防ぐことができる。
【００４７】
このように本発明の実施の形態１の遠心送風機によれば、乱流での圧力損失を抑え、静圧を増加でき、入力を低減でき、騒音を低減できることとなる。
【００４８】
（実施の形態２）
図３および図４に示すように、スクロールテーパー壁面１７の反吐出口側テーパー端部２５を、反舌部側壁面１５から仰いだ舌部８から駆動軸２の間に位置した構成とする。すなわち、反吐出口側テーパー端部２５が、舌部８を含み吐出口７を形成する面と平行な面と、駆動軸２を含み吐出口７を形成する面と平行な面との間に位置するものである。また、舌部８から始まり、反舌部側壁面１５の舌部８からの最短位置で終わるスクロール９の拡大空間部分において、スクロール９の拡大率がケーシング側板１２側に向かって徐々に減少する構成とする。ここで、スクロール９の拡大率とは、羽根車１のブレード６外周からスクロール９までの距離の変化率である。本実施の形態では、スクロール９の中央部（両側のケーシング側板１２に挟まれる中間位置）で最も拡大の度合い（＝スクロールの拡大率）が大きく、ケーシング側板１２側に近づくにつれて、その拡大の度合いが小さくなるものである。
【００４９】
上記構成により、遠心送風機１４は一般的にケーシング側板側気流２２の風速が遅いため、風向が不安定になり易く乱流が起こり易く、乱流は舌部８近傍では羽根車１と吸込口１０の隙間への羽根車端部逆流を誘発し易いことに対し、スクロールテーパー壁面１７の反吐出側テーパー端部２５を反舌部側壁面１５から仰いだ舌部８から駆動軸２の間に位置したことで、舌部８近傍でのケーシング側板側気流２２を増速でき、舌部８近傍での羽根車端部逆流を防ぐことができることで、吐出口７近傍での乱流を防ぎ圧力損失を抑えることができ、乱流騒音を防ぐことができる。
【００５０】
また、スクロール９の拡大率をケーシング側板１２側に向かって徐々に縮小した形状は、一般的な設計事項としてスクロールテーパー壁面１７の無いスクロール９の中央部分の拡大空間は順次拡大していることはもとより、スクロールテーパー壁面１７を有する部分のスクロール９の拡大空間、つまりケーシング側板側気流２２が通過するスクロール９の拡大空間も順次拡大した形状であり、それぞれが連続して徐々に変化していることで、羽根車１の回転で発生する動圧を静圧に変換するスクロール９の作用をスクロール９の幅方向全域において得ることができながら、舌部８近傍でのケーシング側板側気流２２を増速でき、舌部８近傍での羽根車端部逆流を防ぐことができることで、吐出口７近傍での乱流を防ぎ圧力損失を抑えることができ、乱流騒音を防ぐことができる。
【００５１】
また、反吐出口側テーパー端部２５を駆動軸２側に位置することでスクロールテーパー壁面１７をスクロールケーシング１３内にコンパクトに収めることができる。
【００５２】
このように本発明の実施の形態２の遠心送風機によれば、乱流での圧力損失を抑え、静圧を増加でき、入力を低減でき、騒音を低減できながらコンパクトにできることとなる。
【００５３】
（実施の形態３）
図５に示すように、曲げ線１６をＲ形状に形成し、スクロールテーパー壁面１７または反舌部側壁面１５に曲面２６を設けた構成とする。
【００５４】
上記構成により、スクロールテーパー壁面１７と反舌部側壁面１５が曲面２６にて滑らかに連続し、スクロールテーパー壁面１７に沿って吐出口７中央部へケーシング側板側気流の風向をスムーズに偏向し安定させることができることで、吐出口７近傍での乱流を防ぎ圧力損失を抑えることができ、乱流騒音を防ぐことができる。
【００５５】
このように本発明の実施の形態３の遠心送風機によれば、乱流での圧力損失を抑え、静圧を増加でき、入力を低減でき、騒音を低減できることとなる。
【００５６】
（実施の形態４）
図６に示すように、スクロール９と別部品とし、スクロールテーパー壁面１７を形成したテーパー部材２７を、吐出口７側に配置した構成とする。
【００５７】
上記構成により、テーパー部材２７を望ましくは樹脂成形品や吸音材等の材質の別部品にて製作することで、スクロール９の形状を簡単にでき、スクロールテーパー壁面１７を形状自在に立体的に形成できる。
【００５８】
このように本発明の実施の形態４の遠心送風機によれば、スクロールの生産性を良くできながら、静圧を増加でき、入力を低減でき、騒音を低減できることとなる。
【００５９】
（実施の形態５）
図７に示すように、箱状の機体２８の対向する側面に、機体吸込口２９と機体吹出口３０を設けている。機体２８には、機体吸込口２９に吸込側ダクト３１を接続する吸込アダプター３２、および機体吹出口３０には、吹出側ダクト３３を接続する吹出アダプター３４を配し、機体２８の内部には遠心送風機１４を内蔵し、機体吹出口３０と遠心送風機１４の吐出口７を接続し、機体２８と遠心送風機１４の間に機体風路３５を形成したダクトファン３６を構成する。
【００６０】
また、機体２８と遠心送風機１４のケーシング側板１２に挟まれた２つの機体風路３５の幅において、駆動軸２を接続したモーター１８への気流衝突により吸込口１０を通過する風量が少ない小風量側機体風路幅３７に対し、反モーター側のため吸込口１０を通過する風量が多い大風量側機体風路幅３８を幅広としてダクトファン３６を構成する。
【００６１】
また、機体２８内面またはスクロールケーシング１３外面に吸音材３９を設ける構成とする。なお、小風量側機体風路の吸音材厚み４０と大風量側機体風路の吸音材厚み４１に差を設けることで、小風量側機体風路幅３７と大風量側機体風路幅３８の差を調整することができる。
【００６２】
また、図８に示すように、実使用の設置状態では、天井裏４２において機体吸込口２９に吸込側ダクト３１、機体吹出口３０に吹出側ダクト３３を接続してダクトファン３６は施工され、遠心送風機１４を運転すると、室内４３の空気が吸込側ダクト３１から遠心送風機１４を介して吹出側ダクト３３を通過し、室外４４に排気している。天井裏４２と室内４３は天井材４５で仕切られ、天井材４５のダクトファン３６の下部に天井点検口４６を備えている。
【００６３】
上記構成により、遠心送風機１４自体の吐出口７近傍での乱流を防ぎ圧力損失を抑えることができ、乱流騒音を防ぐことで、ダクトファン３６の機体風路３５での圧力損失に応じて、遠心送風機１４を大きくすることなく効率的に能力を発生することができる。
【００６４】
また、ダクトファン３６の機体風路３５での風量に応じて風路幅を広くし風速を抑えることで、遠心送風機１４の吸込口１０までの機体風路３５での圧力損失を抑え、また風速低下にて乱流騒音を防ぐことができながら、機体風路３５での風速を抑えたことで遠心送風機１４の吸込口１０での流入風速が低下された状態にも関わらず、スクロールテーパー壁面１７によりケーシング側板側気流２２の風速を増速でき、かつスクロールテーパー壁面１７に沿って吐出口７中央部へ風向を安定させることができることで、吐出口７近傍での乱流を防ぎ圧力損失を抑えることができ、乱流騒音を防ぐことができ、遠心送風機１４を大きくすることなく静圧を発生することができる。
【００６５】
また、機体風路３５での騒音を吸音材３９にて吸音することができる。
【００６６】
また、遠心送風機１４がコンパクトな程、機体２８の高さ寸法を薄型化できるため、天井裏４２の高さを低くすることができ、室内４３の高さ空間を広く確保することができる。
【００６７】
また、遠心送風機１４をメンテナンス時に取り出す際、天井点検口４６が小さい場合でも容易に作業ができメンテナンス性を良くすることができることはいうまでもない。
【００６８】
なお、本実施の形態では一般例としてモーター１８への気流衝突により吸込口１０を通過する風量が少ないとしてモーター１８側を小風量側機体風路幅３７としているが、モーター１８の冷却のため設計意図としてモーター側を大風量側機体風路幅３８としても同様の作用を得ることができる。
【００６９】
このように本発明の実施の形態５の遠心送風機によれば、ダクトファンの静圧を増加でき、入力を低減でき、騒音を低減できながら、コンパクトにできることとなる。
【産業上の利用可能性】
【００７０】
換気送風機器、空気調和機、除湿機、加湿器、空気清浄機などの空気搬送目的以外に、機体吹出口からの送風を用いて設備機器の冷却ができ、圧力損失を少なくし風量を確保することで冷却効果が高く、コンパクトに設置できる設備機器の送風の用途にも適用できる。
【図面の簡単な説明】
【００７１】
【図１】本発明の実施の形態１の遠心送風機の平面構成図
【図２】同遠心送風機の斜視構成図
【図３】本発明の実施の形態２の遠心送風機の平面構成図
【図４】同遠心送風機の斜視構成図
【図５】本発明の実施の形態３の遠心送風機の斜視構成図
【図６】本発明の実施の形態４の遠心送風機の斜視構成図
【図７】本発明の実施の形態５の遠心送風機を組み込んだダクトファンの平面構成図
【図８】同遠心送風機を組み込んだダクトファンの設置状態を示す側面構成図
【図９】従来の遠心送風機の側面構成図
【図１０】同遠心送風機の平面構成図
【符号の説明】
【００７２】
１  ・・羽根車
２  ・・駆動軸
７  ・・吐出口
８  ・・舌部
９  ・・スクロール
１０・・吸込口
１２・・ケーシング側板
１３・・スクロールケーシング
１４・・遠心送風機
１５・・反舌部側壁面
１６・・曲げ線
１７・・スクロールテーパー壁面
１８・・モーター
１９・・吐出口側端部
２０・・丸アダプター
２５・・反吐出側テーパー端部
２６・・曲面
２７・・テーパー部材
２８・・機体
２９・・機体吸込口
３０・・機体吹出口
３５・・機体風路
３６・・ダクトファン
３７・・小風量側機体風路幅
３８・・大風量側機体風路幅
３９・・吸音材
【図１】
0005303877.tif 000002
【図２】
0005303877.tif 000003
【図３】
0005303877.tif 000004
【図４】
0005303877.tif 000005
【図５】
0005303877.tif 000006
【図６】
0005303877.tif 000007
【図７】
0005303877.tif 000008
【図８】
0005303877.tif 000009
【図９】
0005303877.tif 000010
【図１０】
0005303877.tif 000011